(57)【要約】【課題】  装着される記録及び／又は再生装置の薄型化を図る。【解決手段】  光ディスク２を回転可能に収納するとともに、光ディスク２の一部を内外周に亘って外方に臨ませるヘッド部用開口部１３が設けられたカートリッジ本体５と、このカートリッジ本体５に移動可能に取り付けられ、ヘッド部用開口部１３を開閉するシャッタ部材１５を有し、カートリッジ本体５のシャッタ部材１５が摺動する面側であって、ヘッド部用開口部１３を挟んでシャッタ部材１５が移動する領域と対向する領域に、ヘッド部用開口部１３に連続して記録及び／又は再生装置側のヘッド部の一部を進入させるための有底の凹部３１が形成されている。【選択図】  図７
2005063635.tif 000002
【特許請求の範囲】
【請求項１】
ディスク状記録媒体と、
上記ディスク状記録媒体を回転可能に収納するとともに、上記ディスク状記録媒体の一部を内外周に亘って外方に臨ませる記録及び／又は再生用開口部が設けられたカートリッジ本体とを有し、
上記記録及び／又は再生用開口部に連続して、記録及び／又は再生装置側に設けられるヘッド部の少なくとも一部を進入させるヘッド部進入部が形成されていることを特徴とするディスクカートリッジ。
【請求項２】
上記ヘッド部進入部は、上記記録及び／又は再生用開口部に連続する開口部であることを特徴とする請求項１記載のディスクカートリッジ。
【請求項３】
上記ヘッド部進入部の一側面は、上記ヘッド部との当接を防止するための傾斜面部とされていることを特徴とする請求項１記載のディスクカートリッジ。
【請求項４】
上記記録及び／又は再生用開口部を開閉するシャッタ部材を有し、
上記ヘッド部進入部は、上記カートリッジ本体の上記シャッタ部材が摺動する面側であって、上記記録及び／又は再生用開口部を挟んで上記シャッタ部材が移動する領域と対向する領域に、上記記録及び／又は再生用開口部に連続して有底の凹部として形成されていることを特徴とする請求項１記載のディスクカートリッジ。
【請求項５】
上記シャッタ部材の上記記録及び／又は再生用開口部を閉塞するシャッタ部の一側には、上記シャッタ部材が上記記録及び／又は再生用開口部を閉塞する位置に移動されたとき、上記シャッタ部と上記ヘッド部進入部との間に発生する空間を閉塞する折り曲げ部が形成されていることを特徴とする請求項４記載のディスクカートリッジ。
【請求項６】
上記カートリッジ本体の上記シャッタ部材が摺動する面側の上記シャッタ部材が摺動する領域には、凹状のシャッタスライド部が形成され、上記ヘッド部進入部は、上記シャッタスライド部の深さより深い有底の凹部として形成されている請求項４記載のディスクカートリッジ。
【発明の詳細な説明】
【技術分野】
【０００１】
本発明は、光ディスク等のディスク状記録媒体を収納したディスクカートリッジに関する。
【背景技術】
【０００２】
従来、光ディスク等のディスク状記録媒体を回転可能に収納し、ディスク状記録媒体を収納したままの状態で記録及び／又は再生装置に装着されるディスクカートリッジが広く用いられている。この種のディスクカートリッジは、ディスク状記録媒体をカートリッジ本体に収納することにより、ディスク状記録媒体の保護を図り、記録及び／又は再生装置への装脱を容易に行うことを可能としている。
【０００３】
この種のディスクカートリッジにおいては、矩形状に形成されたカートリッジ本体にディスク状記録媒体を回転可能に収納したものが広く用いられている。
【０００４】
ところで、ディスクカートリッジにおいては、収納されるディスク状記録媒体の大きさに対応してできるだけ小型化を図るようにしている。これは、ディスクカートリッジを用いるディスク記録及び／又は再生装置の小型化を図り、さらには、ディスクカートリッジの取り扱いを容易にするためであり、さらにまた、カートリッジを構成する材料の削減を図り、製造コストを削減するためである。
【０００５】
収納されるディスク状記録対に対応して、小型化を図ったディスクカートリッジとして、特開平１１−３５３８４５号公報（特許文献１）に記載されたものがある。
【０００６】
特許文献１に開示されるディスクカートリッジは、記録及び／又は再生装置への挿入端側となる一の側面側をほぼ円弧状にすることにより、ディスクカートリッジ自体の小型化を実現している。
【０００７】
特許文献１に開示されるディスクカートリッジは、光ディスクを収納したカートリッジ本体にシャッタ部材によって開閉される記録及び／又は再生用開口部を設け、この開口部を介して光ディスクの一部を外方に臨ませるようにしている。光ディスクに対する情報信号の記録又は再生は、記録及び／又は再生用開口部を介してカートリッジ本体の外方に臨まされる光ディスクに記録再生用のヘッド部を構成する光ピックアップを対向させて行われる。
【０００８】
このディスクカートリッジを記録媒体に用いる記録及び／又は再生装置は、光ピックアップをディスクカートリッジから離間した位置で光ディスクの径方向に移動することによって、光ディスクの信号記録領域を光ビームにより走査して情報信号の記録又は再生を行うようにしている。このような方式で光ディスクの記録再生を行う記録及び／又は再生装置は、光ピックアップがディスクカートリッジから離間した位置で移動するため、装置自体の高さを低くして薄型化するには限界がある。
【０００９】
【特許文献１】特開平１１−３５３８４５号公報
【発明の開示】
【発明が解決しようとする課題】
【００１０】
本発明の目的は、記録及び／又は再生装置の薄型を実現可能とするディスクカートリッジを提供することにある。
【００１１】
本発明の他の目的は、ディスクカートリッジ自体の小型化を実現しながら、記録及び／又は再生装置の薄型化を実現できるディスクカートリッジを提供することにある。
【００１２】
本発明のさらに他の目的は、収納したディスク状記録媒体の確実な保護を実現できるディスクカートリッジを提供することにある。
【００１３】
本発明のさらに他の目的は、カートリッジ本体に設けた記録及び／又は再生用開口部を開閉するシャッタ部材の強度を向上し、確実な記録及び／又は再生用開口部の閉塞を実現できるディスクカートリッジを提供することにある。
【課題を解決するための手段】
【００１４】
本発明に係るディスクカートリッジは、ディスク状記録媒体と、このディスク状記録媒体を回転可能に収納するとともに、ディスク状記録媒体の一部を内外周に亘って外方に臨ませる記録及び／又は再生用開口部が設けられたカートリッジ本体とを有し、記録及び／又は再生用開口部に連続して、記録及び／又は再生装置側に設けられるヘッド部の少なくとも一部を進入させるヘッド部進入部を形成したものである。
【００１５】
本発明に係るディスクカートリッジに設けられるヘッド部進入部は、記録及び／又は再生用開口部に連続する開口部として形成されている。
【００１６】
また、ヘッド部進入部の一側面は、ヘッド部との当接を防止するための傾斜面部とされている。
【００１７】
本発明にディスクカートリッジは、さらに、記録及び／又は再生用開口部を開閉するシャッタ部材を有し、ヘッド部進入部は、カートリッジ本体のシャッタ部材が摺動する面側であって、記録及び／又は再生用開口部を挟んでシャッタ部材が移動する領域と対向する領域に、記録及び／又は再生用開口部に連続して有底の凹部として形成されている。
【００１８】
ここで用いられるシャッタ部材の記録及び／又は再生用開口部を閉塞するシャッタ部の一側には、シャッタ部材が記録及び／又は再生用開口部を閉塞する位置に移動されたとき、シャッタ部と凹部との間に発生する空間を閉塞する折り曲げ部が形成されている。
【００１９】
カートリッジ本体のシャッタ部材が摺動する面側のシャッタ部材が摺動する領域には、凹状のシャッタスライド部が形成され、有底の凹部は、スライド部の深さより深く形成されている。
【発明の効果】
【００２０】
本発明に係るディスクカートリッジは、記録及び／又は再生装置に装着したとき、ディスク状記録媒体の記録又は再生を行うヘッド部の一部を記録及び／又は再生用開口部に連続して形成したヘッド部進入部に位置させることができるので、記録及び／又は再生装置の薄型化を実現することができる。
【００２１】
そして、ヘッド部進入部の一側面は、ヘッド部との当接を防止するための傾斜面部とされているので、ヘッド部進入部に進入するヘッド部との当接が回避でき、ヘッド部の安定した移動が実現でき、ヘッド部によりディスク状記録媒体を正確に走査することができる。
【００２２】
記録及び／又は再生用開口部を閉塞するシャッタ部材を設けることにより、シャッタ部材が記録及び／又は再生用開口部を閉塞する位置に移動したとき、シャッタ部の一側に設けた折り曲げ部により、シャッタ部と凹部との間に発生する空間を閉塞することができるので、記録及び／又は再生用開口部の密閉することができ、記録及び／又は再生用開口部を介して塵埃等が進入することを防止して、カートリッジ本体に収納したディスク状記録媒体の確実な保護が実現される。
【００２３】
カートリッジ本体に設けられるヘッド部進入部は、シャッタ部材がスライドするスライド部の深さより深い有底の凹部として形成されることにより、カートリッジ本体側に進入するヘッド部の進入量を大きくし、記録及び／又は再生装置の一層の薄型化が実現できる。
【発明を実施するための最良の形態】
【００２４】
以下、本発明に係るディスクカートリッジを図面を参照して具体的に説明する。
【００２５】
本発明に係るディスクカートリッジ１は、ディスク状記録媒体として、例えば、光ディスク２を回転可能に収納したものであって、図１及び図２に示すように、上下一対のハーフ３，４を突き合わせ結合したカートリッジ本体５を備え、このカートリッジ本体５内に光ディスク２を回転可能に収納している。
【００２６】
本発明に係るディスクカートリッジ１は、例えばテレビジョンゲームを実行するプログラムデータやビデオデータが記録された光ディスク２を収納したものであり、しかも、極めて小型に構成されている。このディスクカートリッジ１は、例えば、直径を６０ｍｍ程度とする小径の光ディスク２を収納したものであって、片手の掌に収納し得る程度の大きさに形成されている。
【００２７】
なお、ここに示すディスクカートリッジ１は、プログラムデータ等の情報信号が予め記録された再生専用型の光ディスク２を収納したものである。
【００２８】
光ディスク２を収納するカートリッジ本体５を構成する上下ハーフ３，４は、合成樹脂材料を成形して形成され、外周囲に立ち上がり周壁３ａ，４ａが形成されている。上下ハーフ３，４は、各立ち上がり周壁３ａ，４ａを突き合わせて結合されることにより、内部にディスク収納部６を構成してカートリッジ本体５を構成する。なお、上下ハーフ３，４は、互いに突き合わせられる各立ち上がり周壁３ａ，４ａの突き合わせ面、更に上下ハーフ３，４の相対向する内面に突設した溶着用突起を超音波溶着法等の溶着法を用いて結合することによってカートリッジ本体５を構成する。
【００２９】
本発明に係るディスクカートリッジ１を構成するカートリッジ本体５は、図１乃至図３に示すように、このディスクカートリッジ１が装脱されるディスク記録及び／又は再生装置への挿入端側となる一側面である前面を円弧状部７として形成している。この円弧状部７は、図３に示すように、カートリッジ本体５のディスク収納部６に収納された光ディスク２の中心を中心Ｐ０として半径Ｒ１を一定にしたほぼ半円の円弧状に形成されている。すなわち、円弧状部７は、カートリッジ本体５に収納された光ディスク２の半円に相当する部分と対向するような半円として形成されている。
【００３０】
カートリッジ本体５の円弧状部７に連続する相対向する側面は、互いに平行な側面８，９として形成され、円弧状部７と対向する背面は、なだらかに湾曲して連続する湾曲部１０として形成されている。
【００３１】
本発明に係るディスクカートリッジ１は、挿入端側となる一の側面である前面を他の面に比し大きく湾曲したほぼ半円の円弧状部７としているので、カートリッジ挿脱口を介してスロットイン方式により装脱が行われるディスク記録及び／又は再生装置へ挿入を行う際、記録及び／又は再生装置への挿入方向が容易に判別できる。特に、掌内に収納できる程度に小型化したディスクカートリッジ１にあっては、手で握った感覚でも挿入方向の識別を行うことができるので、誤挿入を防止して正確にディスク記録及び／又は再生装置に装着することも可能となる。しかも、このディスクカートリッジ１は、後述するように、スロットイン方式のディスク記録及び／又は再生装置へ挿入操作が容易となるばかりか、確実な挿入操作を実現できる。
【００３２】
さらに、本発明に係るディスクカートリッジ１は、挿入端側をほぼ半円の円弧状部７とし、さらに加えて円弧状部７と対向する背面も湾曲部１０としているので、収納する光ディスク２に対し一層の小型化が実現されている。
【００３３】
カートリッジ本体５の下面側を構成する下ハーフ４の中央部には、図２及び図３に示すように、カートリッジ本体５に収納した光ディスク２の中心部に形成したセンター穴１１及びその周縁を外方に臨ませる円形の中央開口部１２が形成されている。中央開口部１２には、ディスクカートリッジ１が装着されるディスク記録及び／又は再生装置側に設けられたディスク回転駆動機構の一部、例えばターンテーブルが進入する。
【００３４】
カートリッジ本体５の下面側を構成する下ハーフ４には、図２及び図３に示すように、記録及び／又は再生用開口部であるヘッド部用開口部１３が形成されている。ヘッド部用開口部１３は、カートリッジ本体５の一方の側面８に位置し、カートリッジ本体５に収納された光ディスク２の信号記録領域の一部を内外周に亘って外方に臨ませる足る大きさの矩形状に形成されている。すなわち、ヘッド部用開口部１３は、カートリッジ本体５の円弧状部７が形成された前面以外の直線状の平坦な面とされた側面８に臨んで形成されている。
【００３５】
本発明に係るディスクカートリッジ１には、ヘッド部用開口部１３を開閉するシャッタ部材１５が移動可能に取り付けられている。シャッタ部材１５は、ヘッド部用開口部１３を閉塞する足る大きさの矩形状に形成したされ平板状のシャッタ部１６と、シャッタ部１６の基板部側に形成された断面コ字状に形成された支持部１７とを備える。
【００３６】
なお、シャッタ部材１５は、薄い金属板を打ち抜き折り曲げて形成され、若しくは合成樹脂材料を形成して形成されている。
【００３７】
ところで、シャッタ部材１５は、カートリッジ本体５を構成する上ハーフ３側を支持部１７により支持し、ヘッド部用開口部１３を開閉する図１中矢印Ａ方向及び矢印Ｂ方向に移動可能に支持されている。すなわち、シャッタ部材１５は、図４に示すように、上ハーフ３に形成された立ち上がり周壁３ａの一部をもって構成されたスライドガイド部１８を支持部１７により支持してカートリッジ本体５に移動可能に取り付けられている。
【００３８】
そして、シャッタ部材１５に設けられた支持部１７は、図４に示すように、シャッタ部１６の基端部から垂直に立ち上がり形成され連結片２１を有し、この連結片２１の先端部にシャッタ部１６側に向かって折り曲げられた第１の係合片２２が設けられている。連結片２１の両側には、第１の係合片２２が形成された部分より一段低い位置でＬ字状に折り曲げされた第２の係合片２３が設けられている。なお、第２の係合片２３は、先端部側が第１の係合片２２側に突出するようにＬ字状に折り曲げられている。
【００３９】
このシャッタ部材１５は、図２に示すように、シャッタ部１６をヘッド部用開口部１３上に延在するようにカートリッジ本体５に配設される。このとき、シャッタ部材１５は、図５及び図６に示すように、支持部１７に設けた第１の係合片２２をスライドガイド部１８の側面に形成した係合溝２４に係合し、Ｌ字状の第２の係合片２３をスライドガイド部１８の先端側に係合させることにより、第１及び第２の係合片２２，２３によって支持部１７を挟み込みように支持する。このように支持されたシャッタ部材１５は、支持部１７にガイドされ、ヘッド部用開口部１３を開閉する図１中矢印Ａ方向及び矢印Ｂ方向に移動する。
【００４０】
ところで、カートリッジ本体５を構成する下ハーフ４のシャッタ部１６が移動する領域には、凹状のシャッタスライド部１９が形成されている。シャッタスライド部１９は、図７に示すように、シャッタ部材１５のシャッタ部１６の厚さＤ２とほぼ等しい深さＤ１で形成されている。これは、シャッタ部１６をカートリッジ本体５の表面から突出させることなく、カートリッジ本体５の表面に延在させ、カートリッジ本体５の表面を平坦化するためである。
【００４１】
そして、カートリッジ本体５のシャッタ部材５が摺動する面である下ハーフ４の表面には、さらに、ヘッド部用開口部１３の一側に連続するようにして有底の凹部３１が形成されている。この凹部３１は、記録及び／又は再生装置側に設けられる記録及び／又は再生手段のヘッド部を構成する光ピックアップの少なくとも一部を進入させるヘッド部進入部として機能するものであって、図３及び図７に示すように、ヘッド部用開口部１３を挟んでシャッタスライド部１９と対向する側に位置して、ヘッド部用開口部１３の一側のほぼ全長に亘って形成されている。
【００４２】
ヘッド部進入部となる凹部３１は、シャッタスライド部１９の深さＤ１より大きい深さＤ３をもって形成されている。これは、後述するように、記録及び／又は再生装置側に配される記録及び／又は再生手段のヘッド部を構成する光ピックアップの進入量を大きくするためである。
【００４３】
また、凹部３１のヘッド部用開口部１３に連続側とは反対側の側面は、図５に示すように、傾斜面部３２として形成されいる。この傾斜面部３２は、凹部３１に進入する光ピックアップの一部、例えば光ピックアップを構成する光学ブロックの一部との当接を防止するためのものである。
【００４４】
本発明に係るディスクカートリッジ１に用いられるシャッタ部材１５のヘッド部用開口部１３を閉塞するシャッタ部１６の一側には、図７に示すように、シャッタ部材１５がヘッド部用開口部１３を閉塞する位置に移動されたとき、シャッタ部１６と有底の凹部３１との間に発生する空間を閉塞する折り曲げ部３４が形成されている。
【００４５】
このように、本発明に係るディスクカートリッジ１に用いられるシャッタ部材１５は、図７に示すように、ヘッド部用開口部１３を閉塞する位置に移動したとき、シャッタ部１６の一側に設けた折り曲げ部３４により、シャッタ部１６と凹部３１との間に発生する空間を閉塞することができるので、ヘッド部用開口部１３を密閉することができ、ヘッド部用開口部１３を介して塵埃等がカートリッジ本体５内に進入することを防止して、カートリッジ本体５に収納した光ディスク５の確実な保護を図ることができる。
【００４６】
なお、本発明に係るディスクカートリッジ１において、下ハーフ４に形成された立ち上がり周壁４ａのヘッド部用開口部１３と対向する部分には、図２及び図４に示すように、切り欠き部２５が形成されて開放されている。すなわち、ヘッド部用開口部１３は、カートリッジ本体５の内周側から外周縁に亘る領域が開放されて形成されている。
【００４７】
上述のように構成された本発明に係るディスクカートリッジ１は、記録及び／又は再生装置に装着したとき、図８に示すように、光ディスク２に記録された情報信号を再生するために用いるヘッド部を構成する光ピックアップ５１の一部を凹部３１に進入させることができる。
【００４８】
ここで、本発明に係るディスクカートリッジ１が装着される記録及び／又は再生装置を説明すると、この記録及び／又は再生装置内には、図示はしないが、ディスクカートリッジ１が位置決めして装着されるカートリッジ装着部を備える。さらに、装置内には、カートリッジ装着部に装着されたディスクカートリッジ１に収納された光ディスク２を回転操作するディスク回転駆動機構が設けられるとともに、ディスク回転駆動機構によって回転操作される光ディスク２の信号記録領域を走査して情報信号の再生を行うヘッド部を構成する光ピックアップ５１が設けられている。この光ピックアップ５１は、光ディスク２の信号記録領域を走査する光ビームを出射する光源や、光源から出射された光ビームを光ディスク２に導く光学素子、さらに、光ディスク２から反射された戻りの光ビームを検出して光ディスク２に記録されたデータを検出する光源変換素子等を内蔵した光学ブロック５２と、光源から出射された光ビームを光ディスク２の信号記録面に集光させる対物レンズ５３を備えた二軸アクチュエータ５４とを備える。
【００４９】
この光ピックアップ５１は、記録及び／又は再生装置内に互いに平行に配設されたスライドガイド軸５５及びガイド部５６に支持され、カートリッジ装着部に装着されたディスクカートリッジ１に収納された光ディスク２の径方向に移動可能に支持されている。このとき、光ピックアップ５１は、対物レンズ５３を、ディスクカートリッジ１に設けたヘッド部用開口部１３に対向するように位置させ、光学ブロック５２をヘッド部用開口部１３の側方に位置させて配置されている。
【００５０】
この記録及び／又は再生装置は、光ディスク２を再生する状態とするとき、図８に示すように、対物レンズ５３をヘッド部用開口部１３を介してカートリッジ本体５内に進入させ、光学ブロック５２の一部をディスクカートリッジ１側の凹部３１内に進入させることができる。その結果、光ピックアップ５１の全体をカートリッジ装着部に装着されるディスクカートリッジ１に近接させることができるので、装置全体の薄型化を実現できる。
【００５１】
特に、直径を６０ｍｍ以下とするような光ディスク２を収納したディスクカートリッジ１を用いる記録及び／又は再生装置において有効となる。小型のディスクカートリッジ１は、ヘッド部用開口部１３も小さくなり、光ピックアップ５１の全体をカートリッジ本体５内に進入させることもできない。特に、光学ブロック５２及び二軸アクチュエータ５４とかなる光ピックアップ５１は、その構成上から一層の小型化を実現することが困難である。
【００５２】
本発明に係るディスクカートリッジ１を用いることにより、ディスクカートリッジ１の小型化に対応して十分に小型化することが困難な光ピックアップ５１を、カートリッジ装着部に装着されるディスクカートリッジ１に対し近接させることができる。すなわち、光学ブロック５２の一部をディスクカートリッジ１側の凹部３１内に進入させて、光ピックアップ５１を配置することができるためである。
【００５３】
このように、光ピックアップ５１をディスクカートリッジ１に近接させることができることから、このディスクカートリッジ１を用いる記録及び／又は再生装置の薄型化を達成できる。
【００５４】
上述したディスクカートリッジ１は、ヘッド部用開口部１３を閉塞するためのシャッタ部材１５を備えているが、本発明に係るディスクカートリッジは、シャッタ部材を設けることなくヘッド部用開口部を開放したままにしたものであってもよい。
【００５５】
シャッタ部材を設けることなく構成されたディスクカートリッジ１０１は、図９及び図１０に示すように構成される。
【００５６】
このディスクカートリッジ１０１は、基本的な構成を上述したディスクカートリッジ１と共通にするので、共通する部分には共通の符号を付して詳細な説明は省略する。
【００５７】
シャッタ部材を設けることなく構成された本発明に係るディスクカートリッジ１０１も前述したディスクカートリッジ１と同様に、上下一対のハーフ３，４を突き合わせ結合したカートリッジ本体５を備え、このカートリッジ本体５内に光ディスク２を回転可能に収納している。
【００５８】
このディスクカートリッジ１０１を構成するカートリッジ本体５は、図９及び図１０に示すように、このディスクカートリッジ１０１が装脱されるディスク記録及び／又は再生装置への挿入端側となる一側面である前面側を円弧状部７として形成している。
【００５９】
カートリッジ本体５の円弧状部７に連続する相対向する側面は、互いに平行な側面８，９として形成され、円弧状部７と対向する背面側は、なだらかに湾曲して連続した湾曲部１０として形成されている。すなわち、カートリッジ本体５の背面側は、カートリッジ本体５の前面側に構成された半円状の円弧状部７より大きな半径、すなわち、円弧状部７より曲率が小さい湾曲部１０とされている。
【００６０】
このディスクカートリッジ１０１においても、カートリッジ本体５の下面側を構成する下ハーフ４の中央部には、図１０に示すように、カートリッジ本体５に収納した光ディスク２の中心部に形成したセンター穴１１及びその周縁を外方に臨ませる円形の中央開口部１２が形成されている。
【００６１】
また、下ハーフ４には、図１０に示すように、記録及び／又は再生用開口部を構成するヘッド部用開口部１１３が形成されている。ヘッド部用開口部１１３は、カートリッジ本体５の一方の側面８側に位置し、中央開口部１２に近接した位置から側面８に亘って矩形状に形成されている。すなわち、ヘッド部用開口部１１３は、カートリッジ本体５に収納された光ディスク２の信号記録領域の一部を内外周に亘って外方に臨ませる足る大きさの矩形状に形成されている。
【００６２】
そして、本例のディスクカートリッジ１０１に設けられるヘッド部用開口部１１３に連続して記録及び／又は再生装置側に設けられる記録及び／又は再生手段のヘッド部を構成する光ピックアップの少なくとも一部を進入させるヘッド部進入部となるヘッド部進入用開口部１３１が形成されている。このヘッド部進入用開口部１３１は、ヘッド部用開口部１１３のカートリッジ本体５の記録及び／又は再生装置への挿入端側となる円弧状部７側の一側に連続して形成されている。すなわち、本例のディスクカートリッジ１０１においては、ヘッド部用開口部１１３をカートリッジ本体５の円弧状部７側を拡張するようにしてヘッド部進入用開口部１３１が形成されている。
【００６３】
このディスクカートリッジ１０１においても、記録及び／又は再生装置側の光ディスク２を走査する光ピックアップ５１を構成する光学ブロック５２の一部をヘッド部進入用開口部１３１内に進入させることができる。その結果、光ピックアップ５１の全体を記録及び／又は再生装置のカートリッジ装着部に装着されるディスクカートリッジ１に近接させることができるので、記録及び／又は再生装置全体の薄型化を図ることができる。
【００６４】
なお、このディスクカートリッジ１０１においても、ヘッド部進入用開口部１３１の一側面は、この開口部１３１に進入する光ピックアップ５１の一部、例えば光ピックアップ５１を構成する光学ブロック５２との当接を防止するため傾斜面部１３２として形成されている。
【００６５】
また、シャッタ部材を設けることなく構成されたディスクカートリッジ１０１においても、ヘッド部進入部は、上述したディスクカートリッジ１と同様に有底の凹部として形成したものであってもよい。
【００６６】
上述したディスクカートリッジ１，１０１は、再生専用型の光ディスク２を収納したものとして構成されているが、本発明に係るディスクカートリッジは、情報信号の再記録を可能とする記録再生型の光ディスクやその他のディスク状記録媒体を収納したものにも同様に適用でき、上述したと同様の利点を得ることができる。
【００６７】
なお、本発明に係るディスクカートリッジを用いる記録及び／又は再生装置は、収納するディスク状記録媒体に対応して用いヘッド部を異にするものである。
【図面の簡単な説明】
【００６８】
【図１】本発明に係るディスクカートリッジを上ハーフ側から見た斜視図である。
【図２】本発明に係るディスクカートリッジを下ハーフ側から見た斜視図である。
【図３】本発明に係るディスクカートリッジの下ハーフ側から見た平面図である。
【図４】シャッタ部材とこのシャッタ部材が支持されるカートリッジ本体を示す斜視図である。
【図５】本発明に係るディスクカートリッジのシャッタ部材が取り付けられた側の側面を示す側面図である。
【図６】カートリッジ本体にシャッタ部材を取り付けた状態を示す断面図である。
【図７】カートリッジ本体に設けたヘッド部用開口部をシャッタ部材により閉塞した状態を示す断面図である。
【図８】本発明に係るディスクカートリッジを記録及び／又は再生装置に装着した状態を示す断面図である。
【図９】本発明に係るディスクカートリッジの他の例を上ハーフ側から見た斜視図である。
【図１０】本発明に係るディスクカートリッジの他の例を下ハーフ側から見た斜視図である。
【符号の説明】
【００６９】
１，１０１  ディスクカートリッジ、  ２  光ディスク、  ５  カートリッジ本体、  ７  円弧状部、  １５  シャッタ部材、  １６  シャッタ部、  １７  支持部、１９  シャッタスライド部、  ３１  凹部、  ３２  折り曲げ部、  １３１  ヘッド部進入用開口部
【図１】
2005063635.tif 000003
【図２】
2005063635.tif 000004
【図３】
2005063635.tif 000005
【図４】
2005063635.tif 000006
【図５】
2005063635.tif 000007
【図６】
2005063635.tif 000008
【図７】
2005063635.tif 000009
【図８】
2005063635.tif 000010
【図９】
2005063635.tif 000011
【図１０】
2005063635.tif 000012